(57)【特許請求の範囲】
【請求項１】
筺体と、
第１の端部を有する第１の辺と、第２の端部を有する第２の辺であって、前記ロッカーピボット・ポイントが前記第１の端部と前記第２の端部間に置かれている２つの辺と、前記第１の辺と前記第２の辺とに垂直である第３の辺と、前記ロッカーの前記第３の辺に配置され、第１の端部と第２の端部を有するチャンネルと、クランクピボット・ポイントの周りに前記筐体へ回動可能に取り付けられたクランクとを具備して、前記ロッカーピボット・ポイントの周りに前記筐体へ回動可能に取り付けられたロッカーと、
前記クランクに配置されて前記チャンネル内に位置されるピンと、を具備し、
オフ位置においては、前記ロッカーの前記第１の辺の前記第１の端部が前記筐体から延出して、前記ロッカーの前記第２の辺の前記第２の端部が前記筺体にあって、前記ピンが前記チャンネルの第１の端部に置かれ、
オン位置への前記ロッカーの前記第１の端部の押圧は、前記ロッカーの前記第１の辺の前記第１の端部がもはや前記筐体から延出しないように、前記ロッカーの前記第１の辺と前記第２の辺のそれぞれが前記筐体に対して実質的に平坦面を産出することを引き起こし、さらには、前記クランクピボット・ポイントの周りの曲線経路に、前記チャンネルの回転移動を引き起こし、前記クランクの回転移動を引き起こし、前記チャンネルの前記第１の端部から前記チャンネルの前記第２の端部に向かって前記ピンを移動させることを特徴とするロッカースイッチ。
【請求項２】
前記ロッカーの前記第１の辺の前記第１の端部が、実質的に平坦であることを特徴とする請求項１に記載のロッカースイッチ。
【請求項３】
前記ロッカーの前記第１の辺の前記第１の端部が、リップを有することを特徴とする請求項１に記載のロッカースイッチ。
【請求項４】
前記ロッカーの前記第２の辺が、実質的に湾曲していることを特徴とする請求項１に記載のロッカースイッチ。
【請求項５】
前記チャンネルが、湾曲端を有する矩形として成形されることを特徴とする請求項１に記載のロッカースイッチ。
【請求項６】
さらに、回路遮断器にて使用のための電気部品を具備することを特徴とする請求項１に記載のロッカースイッチ。
【請求項７】
前記ピンの前記回転移動が、前記電気部品を完成する回路において横移動を引き起こすことを特徴とする請求項６に記載のロッカースイッチ。
【請求項８】
前記ロッカースイッチがオン位置にあるときに、前記ロッカーの前記第１の辺の前記第２の端部の押圧が、前記クランクの反対方向への回転移動を引き起こして、前記ピンを前記チャンネルの前記第２の端部から前記チャンネルの前記第１の端部に向かって移動させ、前記ロッカーの前記第１の辺の前記第１の端部が前記筐体から延出することを引き起こすことを特徴とする請求項１に記載のロッカースイッチ。
【請求項９】
前記チャンネルが、前記ロッカーの前記第１の辺に実質的に平行する角を成すことを特徴とする請求項１に記載のロッカースイッチ。
【請求項１０】
前記ピボット・ポイントの周りの前記チャンネルの前記曲線経路が、可変の半径を有することを特徴とする請求項１に記載のロッカースイッチ。
【請求項１１】
筺体と、
第１の端部を有する第１の辺と、第２の端部を有する第２の辺であって、前記ロッカーピボット・ポイントが前記第１の端部と前記第２の端部間に置かれている２つの辺と、前記第１の辺と前記第２の辺とに垂直である第３の辺と、前記ロッカーの前記第３の辺に配置され、第１の端部と第２の端部を有するチャンネルと、クランクピボット・ポイントの周りに前記筐体へ回動可能に取り付けられたクランクとを具備して、前記ロッカーピボット・ポイントの周りに前記筐体へ回動可能に取り付けられたロッカーと、
前記クランクに配置されて前記チャンネル内に位置されるピンと、を具備し、
オフ位置においては、前記ロッカーの前記第１の辺の前記第１の端部が前記筐体から延出して、前記ロッカーの前記第２の辺の前記第２の端部が前記筺体にあって、前記ピンが前記チャンネルの第１の端部に置かれ、
オン位置への前記ロッカーの前記第１の端部の押圧は、前記ロッカーの前記第１の辺の前記第１の端部がもはや前記筐体から延出しないように、前記ロッカーの前記第１の辺と前記第２の辺のそれぞれが前記筐体に対して実質的に平坦面を産出することを引き起こし、さらには、前記クランクピボット・ポイントと交差する前記筺体の頂面に平行な面を介して、前記チャンネルの回転移動を引き起こし、前記クランクの回転移動を引き起こし、前記チャンネルの前記第１の端部から前記チャンネルの第２の端部に向かって前記ピンを移動させることを特徴とするロッカースイッチ。
【請求項１２】
前記ロッカーの前記第１の辺の前記第１の端部が、実質的に平坦であることを特徴とする請求項１１に記載のロッカースイッチ。
【請求項１３】
前記ロッカーの前記第１の辺の前記第１の端部が、リップを有することを特徴とする請求項１１に記載のロッカースイッチ。
【請求項１４】
前記ロッカーの前記第２の辺が、実質的に湾曲していることを特徴とする請求項１１に記載のロッカースイッチ。
【請求項１５】
前記チャンネルが、湾曲端を有する矩形として成形されることを特徴とする請求項１１に記載のロッカースイッチ。
【請求項１６】
さらに、回路遮断器にて使用のための電気部品を具備することを特徴とする請求項１１に記載のロッカースイッチ。
【請求項１７】
前記ピンの前記回転移動が、前記電気部品を完成する回路において横移動を引き起こすことを特徴とする請求項１１に記載のロッカースイッチ。
【請求項１８】
前記ロッカースイッチがオン位置にあるときに、前記ロッカーの前記第１の辺の前記第２の端部の押圧が、前記クランクの反対方向への回転移動を引き起こして、前記ピンを前記チャンネルの前記第２の端部から前記チャンネルの前記第１２の端部に向かって移動させ、前記ロッカーの前記第１の辺の前記第１の端部が前記筐体から延出することを引き起こすことを特徴とする請求項１に記載のロッカースイッチ。
【請求項１９】
前記チャンネルが、前記ロッカーの前記第１の辺に実質的に平行する角を成すことを特徴とする請求項１１に記載のロッカースイッチ。
【請求項２０】
前記ロッカースイッチがオン位置にあるときに、前記ロッカーの前記第１の辺の前記第２の端部が前記筐体に対して実質的に平坦面を産出することを特徴とする請求項１に記載のロッカースイッチ。
【請求項２１】
前記ロッカースイッチがオン位置にあるときに、前記ロッカーの前記第１の辺の前記第２の端部が前記筐体に対して実質的に平坦面を産出することを特徴とする請求項１１に記載のロッカースイッチ。
【発明の詳細な説明】
【技術分野】
【０００１】
本発明は、一般的には、ロッカースイッチに関し、より具体的には、低背ロッカースイッチに関する。
【背景技術】
【０００２】
ロッカースイッチは、ユーザーにとって、前記スイッチが動作中か否かを簡単に断定できるようになすディスクリートのオン・オフスイッチを提供している。オフ位置において、ロッカースイッチは、電気のいかなる流れ、または、電気信号の流れを防止する。スイッチのユーザーが、前記ロッカースイッチを稼働すると、接続がなされて、電気または電気信号の前記流れを可能となす。ロッカースイッチには多くのアプリケーションがあり、普通のアプリケーションは、光スイッチ、一般的な電源スイッチおよび回路遮断器におけるスイッチを含む。
【０００３】
ロッカースイッチの動作中、前記スイッチのいかなる稼働または停止は、前記ロッカーを移動させることで、筺体内部の機械的動作を引き起こす。ユーザーが前記スイッチを稼働させると、筺体の外部にある前記スイッチ（前記ロッカー）の部分が動かされる。ロッカーはピンに接続されており、それが、筺体内部の後続の動作を引き起こし、回路を完成させるか、または、それとの接続を切る（前記スイッチを稼働または停止させる）。
【０００４】
ロッカースイッチはさまざまなアプリケーションに使用される、しかしながら、ロッカースイッチの具体的な配置は、前記スイッチ筺体の全体的な大きさおよび筺体の外部にあるスイッチのその部分の大きさに大きく依存する。前記筺体が、前記装置の中に垂直に挿入されるべく、十分なスペースを必要とするので、ロッカースイッチの筺体の大きさは、スイッチの配置を限定する。さらに、大きなスイッチ筺体を必要とするスイッチ機構は、筺体の外部にあるべき、スイッチのより大きい部分を必要とするだろう。これは、スイッチを使用する装置の製造業者にとって、２つの課題を作り出す。まず、より大きい外部部分は、スイッチが誤って稼働されるか、または、停止されるかをより容易になさしめる。これは、該スイッチが他の複数のスイッチに近い回路遮断器において使用される際のように、ユーザーの手が定期的に該スイッチに近いところで、特に、課題となる。大きな外部部分は扱いにくくて、回路遮断器と接触する人物がスイッチを誤って稼働させるか、または、停止させる原因となるだろう。ユーザーが、別の個人が働いているだろう場所で電気の流れを制御するスイッチを誤って稼働させたり、重要な要素への電気の流れを制御するスイッチを誤って停止させたりするだろうから、このことは、重大な課題を提示する。
【０００５】
大きい外部部分を有するスイッチにおける第２の課題は、それが美的に心地良くないことである。これは、装置をデザインする際に、用途を、美観をあてにしない装置に限定する。そのような限定は、多数の装置において、ロッカースイッチの使用を禁止する。
【０００６】
図９のスイッチ９００のような従来技術のロッカースイッチは、複雑であり、産製造するのに比較的コストがかかる。筺体はかさばっており、スイッチの内部部品の周りの筺体を形成するのに最少３つの個別部品を必要とし、ロッカースイッチは、機能するために大きなロッカーを必要とする。筺体は、ロッカー用のピボット・ポイントを作り出すために、頂点部分９６０を必要とする（この頂点部分は本発明で削除されている）。回路を機械的に開閉するために、ロッカーは、チャンネル内部でピン９１５の自由動作を可能にするチャンネル９２０を含有する。ピン９１５が、チャンネル９２０の内部に支持され、それはロッカーの中間から延出している。ロッカーの押圧は、ピン９１５がクランクのピボット・ポイントに対して逆円弧方向に動き、チャンネル９２０内部でスライドする原因となっており、それは、ロッカー９６５のピボット・ポイントに対して常に放射状に配向されている。ピン９１５の逆円弧動作は、クランク内の横移動を引き起こし、それは、回路を開閉する。ピン９１５はクランクのピボット・ポイントに対して逆円弧に移動することしか可能でなく、スイッチのチャンネル９２０が、ロッカーの真下に直接置かれなければならず、ロッカー９６５のピボット・ポイントに対して常に放射状であるので、スイッチの外部部分は、この配置とピン９１５の制限された動作を収容するために十分に大きいことが必要とされる。さらに、ピン９１５は、クランクのピボット・ポイントに対して、逆円弧運動に動くだけであるので、筺体は実質的に大きいことが必要であり、これは、クランクへのピン９１５間の接続が、一方向のピン９１５の逆円弧運動を実質的に垂直方向のクランクの横運動へ転換するための大きなスペースを必要とするからである。最後に、スイッチの押圧が、ピン９１５の逆円弧動作を引き起こすので、スイッチの開位置は、外部部分が押圧されたときに、外部部分の円動作が、筺体の内部に収容されて、ピン９１５の前進（円弧）動作を引き起こすように、スイッチの外部部分がピン９１５と反対側であることを必要とする。
【０００７】
従って、望まれるものは、サイズにおいて相当な削減を可能にし、部品を削減し、従来技術のロッカースイッに比較して産製造がより安価である機構を持つロッカースイッチである。
【発明の開示】
【０００８】
この発明は、回路遮断器における、または、多様なその他のアプリケーションにおける一般的なオン・オフスイッチとして使用のための低背のロッカースイッチを対象としている。そのデザインは、スイッチ筺体の実質的に削減された空間要求とロッカースイッチに要求される部品数の削減を可能にする。
【０００９】
本発明のこれらとその他の目的は、筺体と該筺体から延出するロッカーを有するロッカースイッチの提供により達成される。このロッカーは、第１の端部と第２の端部を持つ第1の辺と、該第1の辺に隣接する第２の辺と、チャンネルとを有する。該チャンネルは、前記ロッカーの前記第２の辺に配置され、第１の端部と第２の端部を有する。ピボット・ポイントが、クランクに配置される。該クランクに配置されたピンが、前記チャンネルの第１の端部に置かれる。前記ロッカーの前記第１の端部の押圧は、前記ピボット・ポイントの周りの曲線経路において前記チャンネルの回転移動を引き起こし、前記クランクの回転移動を引き起こし、前記チャンネルの前記第１の端部から前記チャンネルの前記第２の端部向かって前記ピンを移動させる。
【００１０】
これらの具体例のいくつかにおいて、前記ロッカーの前記第１の端部が、実質的に平坦である。これらの具体例のいくつかにおいて、前記ロッカーの前記第１の端部が、リップを有する。これらの具体例のあるものにおいて、前記ロッカーの前記第２の辺が、実質的に湾曲している。これらの具体例のあるものにおいて、前記チャンネルが、湾曲端を有する矩形として成形される。これらの具体例のいくつかにおいて、前記筺体は回路遮断器にて使用のための電気部品を含む。これらの具体例のいくつかにおいて、前記ロッカーの前記第１の辺の前記第１の端部が、前記ピンと同じスイッチの側に置かれる。これらの具体例のあるものにおいて、前記ピンの前記回転移動が、回路を完成する前記電気部品の横移動を引き起こす。これらの具体例のあるものにおいて、前記ロッカーの前記第1の辺の前記第２の端部の押圧が、前記クランクの反対方向への回転移動を引き起こして、前記ピンを前記チャンネルの前記第２の端部から前記チャンネルの前記第１の端部に向かって移動させる。これらの具体例のあるものにおいて、前記チャンネルが、前記ロッカーの前記第1の辺に平行する角を成す。これらの具体例いくつかにおいて、前記ピボット・ポイントの周りの前記チャンネル曲線経路が、可変の半径を有する。
【００１１】
本発明の他の具体例は、筺体と前記筺体から延出するロッカーを有するロッカースイッチである。前記ロッカーは、第１の端部と第２の端部を持つ第1の辺と前記第1の辺に隣接す第２の辺とチャンネルを有する。前記チャンネルは、前記ロッカーの前記第２の辺に配置され、第１の端部と第２の端部を有する。ピボット・ポイントが、クランクに配置される。前記クランクに配置されるピンが、前記チャンネルの第１の端部に置かれる。前記ロッカーの前記第１の端部の押圧が、前記ピボット・ポイントと交差する前記筺体の頂面に平行な面を介して、前記チャンネルの回転移動を引き起こし、前記クランクの回転移動を引き起こし、前記チャンネルの前記第１の端部から前記チャンネルの前記第２の端部向かって前記ピンを移動させる。
【００１２】
これらの具体例のいくつかにおいて、前記ロッカーの前記第１の端部が、実質的に平坦である。これらの具体例のいくつかにおいて、前記ロッカーの前記第１の端部が、リップを有する。これらの具体例のあるものにおいて、前記ロッカーの前記第２の辺が、実質的に湾曲している。これらの具体例のあるものにおいて、前記チャンネルが、湾曲端を有する矩形として成形される。これらの具体例のいくつかにおいて、前記筺体は回路遮断器にて使用のための電気部品を含む。これらの具体例のいくつかにおいて、前記ロッカーの前記第１の辺の前記第１の端部が、前記ピンと同じスイッチの側に置かれる。これらの具体例のあるものにおいて、前記ピンの前記回転移動が、回路を完成する前記電気部品の横移動を引き起こす。これらの具体例のあるものにおいて、前記ロッカーの前記第1の辺の前記第２の端部の押圧が、前記クランクの反対方向への回転移動を引き起こして、前記ピンを前記チャンネルの前記第２の端部から前記チャンネルの前記第１の端部に向かって移動させる。これらの具体例のあるものにおいて、前記チャンネルが、前記ロッカーの前記第1の辺に平行する角を成す。
【００１３】
この発明とその特別な特徴および利点は、添付図面を参照して熟慮された以下の詳細な記述からさらに明白になるだろう。
【発明を実施するための最良の形態】
【００１４】
本発明の実施の形態は、以下の記述と関連した添付の図面を参照して、さらに理解されるだろうし、そこにおいては、同様の要素には同じ参照番号が設けられている。本発明の実施の形態は、ロッカースイッチに関連する。具体的には、このロッカースイッチは、実質的に縮小されたプロファイルおよび実質的に縮小された深さを可能にする。実施の形態は、回路遮断器で使用される単極ロッカースイッチに関連して記述されるが、当業技術者は、本発明が任意のロッカースイッチにおいて実施されるであろうし、また、回路遮断器に使用の単極ロッカースイッチには限定されないということを理解するであろう。
【００１５】
図１および図５において最も良く見られるように、開位置におけるロッカースイッチ１００の側面図が示されている。ロッカースイッチ１００は、筺体１４０から延出するロッカー１０５を含有するだろう。筺体１４０は、ロッカー１０５の部分を除いて、ロッカースイッチ１００の機械的及び電気的部品の全体を取り囲む。ロッカー１０５が押圧されるときに、筺体１４０内へのより簡単な入場を可能にするために、ロッカー１０５は、実質的に湾曲している部分１４５を有するだろう、しかしながら、ロッカー１０５は、実質的に湾曲している部分１４５を有する必要がないし、ロッカーの該側面は、筺体における開口のデザインに依存して実質的に平坦でもよい。湾曲している部分１４５の反対側がリップ１１０である。リップ１１０は、ロッカー１０５から突き出ており、ロッカー１０５のより容易な稼働を可能にしている。ロッカー１０５は、筺体１４０の内部に置かれたピボット・ポイント１５０に取り付けられる。ピボット.ポイント１５０は、ロッカー１０５の回転移動を可能にする。ロッカーを閉じるためにユーザーがロッカー１０５を横切って彼/彼女の指をスワイプするとき、ユーザーは、彼/彼女の指（図示せず）で、リップ１１０を取込むことができて、ロッカースイッチ１００を閉じるために、ロッカー１０５のより容易な動作を促進している。
【００１６】
ロッカー１０５は、筺体１４０の内部に全てが置かれるチャンネル１２０を有する。チャンネル１２０は、ロッカー１０５から直接延出するだろうし、または、チャンネル１２０は、ロッカー１０５に取り付けられる個別部品であるだろう。好ましい具体例において、チャンネル１２０は、筺体１００の頂面に対して角を成し、筺体１００に対してロッカー１０５により形成された角度に平行である。しかしながら、チャンネル１２０は、筺体１００の頂面と平行するようにデザインされても良い。チャンネル１２０は、湾曲端を持つ矩形として成形されるが、チャンネル１２０は、１つ以上の開放端を有することを含んで、以下に記述されるように、ピン移動を容易にする任意の形状でありえるだろう。チャンネル１２０は、チャンネル１２０内でピン１１５の自由移動を可能にするために、ピン１１５の直径より僅かに大きくされた開口を定めている。ピン１１５は、クランク１２５に取り付けられ、チャンネル１２０により定められた開口内に嵌合する大きさである。ロッカースイッチ１００が、ロッカー１０５が押圧されていない開位置にあるとき、ピン１１５はチャンネル１２０の第１の端部に向かって置かれる。
【００１７】
ロッカー１０５は、ロッカー１０５の延出した部分を押圧することにより動作する。実施の形態において、ロッカーの延出した部分は、ピン１１５同様に、ロッカーの同じ側にあるが、ロッカー１０５は、その延出した部分がピン１１５と反対側にあるようにデザインされ得るだろう。尚、従来技術のシステムでは、横移動を引き起こすように、延出した部分が、ピンの反対側であることを必要とする。以下に詳細に説明される本発明のデザインでは、延出した部分が、ロッカー１０５のいずれの側であってもよい。
【００１８】
図２および図６において最も良く見られるように、閉位置においてロッカースイッチ１００の側面図が示されている。ロッカー１０５が押圧されると、ピボット・ポイント１５０へのロッカー１０５の接続によって、回転移動が引き起こされる。ロッカー１０５の回転移動は、クランク１２５のピボット・ポイント２５５の周りの曲線経路内で、チャンネル１２０が回転的に移動するようになす。チャンネル１２０の回転移動は、さらに、ピボット・ポイント２５５と交差するロッカースイッチ１００の頂面に平行である面を介して、チャンネル１２０が移動するようになすだろう。チャンネル１２０の回転移動は、チャンネル１２０の前記第１の端部からチャンネル１２０の第２の端部に向かってピン１１５の回転移動を強制する。チャンネル１２０の回転移動とピン１１５は、筺体１４０の内部にある機械的オン／オフ部品１３０の横移動を引き起こし、それにより、回路を閉じてロッカースイッチ１００を始動させる。ロッカースイッチ１００を動作停止させるためには、端部２０５が押圧される。端部２０５の押圧は、ロッカー１０５の最初の押圧で作り出された移動と反対方向への回転移動を引き起こす。これは、チャンネル１２０の前記第１の端部に向かってピン１１５の回転移動を戻させて、ロッカースイッチ１００を動作停止させる。
【００１９】
筺体１００は、実質的に湾曲している部分１４５近くに置かれた曲線部分２１０を有する。曲線部分２１０は、筺体１００から延出し、リップ１１０と略同じ高さの大きさとされる。これは、リップ１１０を持つスイッチ１０５が、曲線部分２１０を介して、筺体１００とともに平坦面を作り出すことを可能にする。
【００２０】
図３、図４、図７及び図８において最も良く見られるように、ロッカースイッチ１００と実質的に同じ部品を有するロッカースイッチ３００の側面図が示されている。ロッカースイッチ３００は、ロッカースイッチ１００と実質的に同じ方法で動作する。ロッカースイッチ３００は、ロッカースイッチ３００の機械的及び電気的部品を収容する筺体３４０を含有する。ロッカースイッチ３００は、筺体３４０から延出する外部ロッカー３１０を有する。ロッカースイッチ１００のロッカー１０５と同様に、ロッカー３０５は実質的に湾曲している部分３４５を有する。しかしながら、ロッカー３０５はリップを有しておらず、ロッカー３０５は湾曲している部分３４５の反対側に実質的に平坦面を形成する。
【００２１】
筺体３４０は、ロッカー３０５の反対側に置かれた曲線部分３３５および曲線部分３４５を含有するが、ロッカー３０５がリップを有さないので、曲線部分３３５および３４５の高さは、図２からの曲線部分２１０の高さより低い。ロッカー３０５が押圧されると、リップが無いので、ロッカー３０５は曲線部分３３５および３４５とともに平坦面を形成する。
【００２２】
このロッカースイッチは、それが設置される装置の表面から、実質的により小さいプロファイルを作り出すことにおいて利点を有する。さらに、それは、装置内部で実質的に削減された深さを有し、それが、より小さい装置およびもっと多様な場所に置かれることを可能にする。最後に、このロッカーは、従来技術のロッカースイッチに必要とされるかさばった部品を廃絶する。このロッカーは、製造が安価で、既存の電気部品で容易に組み入れられる。
【００２３】
例示された具体例に対して、本発明の精神から逸脱しないで、様々な変更と変形を成すことができることは、当業技術者により理解されるであろう。そのような変形と変更の全てが、ここにて網羅されるように意図されている。
【図面の簡単な説明】
【００２４】
【図１】図１は、本発明による、開位置におけるロッカースイッチの側面図である。
【図２】図２は、閉位置における図１からのロッカースイッチの側面図である。
【図３】図３は、図１のロッカースイッチのそれと実質的に同じ部品を有するロッカースイッチの開位置における側面図である。
【図４】図４は、閉位置における図３からのロッカースイッチの側面図である。
【図５】図５は、図１によるロッカースイッチの拡大側面図である。
【図６】図６は、図２によるロッカースイッチの拡大側面図である。
【図７】図７は、図３によるロッカースイッチの拡大側面図である。
【図８】図８は、図４によるロッカースイッチの拡大側面図である。
【図９】図９は、従来技術によるロッカースイッチの側面図である。
【図１】
0005788993.tif 000002
【図２】
0005788993.tif 000003
【図３】
0005788993.tif 000004
【図４】
0005788993.tif 000005
【図５】
0005788993.tif 000006
【図６】
0005788993.tif 000007
【図７】
0005788993.tif 000008
【図８】
0005788993.tif 000009
【図９】
0005788993.tif 000010